【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
アプリケーションから画像データを取得して、取得した前記画像データから第１インクの吐出量と第２インクの吐出量とを算出する色変換モジュールと、
前記第１インクの吐出量を全体補正割合及び特定補正割合に基づいて補正し、前記第２インクの吐出量を前記全体補正割合に基づいて補正する吐出量補正部と、
補正された前記第１インクの吐出量と補正された前記第２インクの吐出量とに基づき印刷コマンドを生成するコマンド変換モジュールと、
変換された前記印刷コマンドをインクジェットプリンターに出力する印刷コマンド出力部と、を備え、
前記第１インクの色材含有量は前記第２インクの色材含有量よりも多いことを特徴とする印刷制御装置。
【請求項２】
前記第１インクに含有される色材は、前記第２インクに含有される色材に比べて、より可視光を吸収することを特徴とする請求項１に記載の印刷制御装置。
【請求項３】
前記第１インク及び前記第２インクは顔料インクであることを特徴とする請求項１または２に記載の印刷制御装置。
【請求項４】
前記第１インクはブラックインクであり、前記第２インクは有彩色のインクであることを特徴とする請求項１乃至３のいずれかに記載の印刷制御装置。
【請求項５】
アプリケーションから画像データを取得し、
取得した前記画像データから第１インクの吐出量と前記第１インクよりも色材含有量の多い第２インクの吐出量とを算出し、
前記第１インクの吐出量を全体補正割合及び特定補正割合に基づいて補正し、
前記第２インクの吐出量を前記全体補正割合に基づいて補正し、
補正された前記第１インクの吐出量と、補正された前記第２インクの吐出量とに基づき印刷コマンドを生成し、
変換された前記印刷コマンドをインクジェットプリンターに出力することを特徴とする印刷制御装置の制御方法。
【請求項６】
前記第１インクはブラックインクであり、前記第２インクは有彩色のインクであることを特徴とする請求項５に記載の印刷制御装置の制御方法。
【請求項７】
印刷制御装置の制御部に所定の動作を実行させるプログラムであって、
アプリケーションから画像データを取得するステップと、
取得した前記画像データから第１インクの吐出量と前記第１インクよりも色材含有量の多い第２インクの吐出量とを算出するステップと、
前記第１インクの吐出量を全体補正割合及び特定補正割合に基づいて補正するステップと、
前記第２インクの吐出量を前記全体補正割合に基づいて補正するステップと、
補正された前記第１インクの吐出量と、補正された前記第２インクの吐出量とに基づき印刷コマンドを生成するステップと、
変換された前記印刷コマンドをインクジェットプリンターに出力するステップと、を実行させることを特徴とする印刷制御装置の制御プログラム。
【手続補正２】
【補正対象書類名】明細書
【補正対象項目名】０００７
【補正方法】変更
【補正の内容】
【０００７】
上記の課題を解決するために、本発明は、アプリケーションから画像データを取得して、取得した前記画像データから第１インクの吐出量と第２インクの吐出量とを算出する色変換モジュールと、前記第１インクの吐出量を全体補正割合及び特定補正割合に基づいて補正し、前記第２インクの吐出量を前記全体補正割合に基づいて補正する吐出量補正部と、補正された前記第１インクの吐出量と補正された前記第２インクの吐出量とに基づき印刷コマンドを生成するコマンド変換モジュールと、変換された前記印刷コマンドをインクジェットプリンターに出力する印刷コマンド出力部と、を備え、前記第１インクの色材含有量は前記第２インクの色材含有量よりも多いことを特徴とする。
【手続補正３】
【補正対象書類名】明細書
【補正対象項目名】０００８
【補正方法】変更
【補正の内容】
【０００８】
本発明によれば、各インクの吐出量（打ち込み量）を一律に調整しながら、かつ、特定インクの吐出量（打ち込み量）を調整したときに、特定インクの規定吐出量を全体補正割合と特定補正割合の演算値で補正した値とする。この構成によれば、印刷画像の濃度の調整と、特定のインクの吐出量の調整とがなされる場合に、印刷時に特定インクを吐出させる補正吐出量が容易に決定される。なお、吐出量は、印刷時に消費されるインクの量についてインクジェットヘッドから吐出されるインクの量を主体として表現したものである。打ち込み量は、印刷時に消費されるインクの量について、記録用紙に吐出されたインクの量を主体として表現したものである。
【手続補正４】
【補正対象書類名】明細書
【補正対象項目名】０００９
【補正方法】変更
【補正の内容】
【０００９】
また、本発明によれば、他のインクに比べて色材含有量の多いインクの吐出量が、個別に調整される。色材含有量の多いインクは他のインクに比べて耐水性および耐擦性が劣る。したがってこの構成によれば、印刷画像の耐水性及び耐擦性に影響を与えやすいインクの吐出量が調整され、印刷画像の耐水性および耐擦性を向上させることが可能となる。
【手続補正５】
【補正対象書類名】明細書
【補正対象項目名】００１０
【補正方法】変更
【補正の内容】
【００１０】
本発明において、前記第１インクに含有される色材は、前記第２インクに含有される色材に比べて、より可視光を吸収することが望ましい。
【手続補正６】
【補正対象書類名】明細書
【補正対象項目名】００１１
【補正方法】変更
【補正の内容】
【００１１】
可視光を吸収しやすい色材が含有されるインクが滲むと、より視認に影響が及びやすい。そのため、この構成によれば、印刷画像における滲みに起因する印刷品質の低下を軽減できる。
【手続補正７】
【補正対象書類名】明細書
【補正対象項目名】００１２
【補正方法】変更
【補正の内容】
【００１２】
本発明において、前記第１インク及び前記第２インクは顔料インクであることが望ましい。顔料インクは記録媒体に着弾したときに、媒体の表層部に留まる。このとき、色材含有量が多いほど盛り上がった状態で記録媒体の表層部に留まりやすい。そのため、顔料インクにおいて、色材含有量の多いインクの吐出量を個別に調整できる構成は、印刷画像における滲みを低減するにあたって有効な手段となり得る。
【手続補正８】
【補正対象書類名】明細書
【補正対象項目名】００１３
【補正方法】変更
【補正の内容】
【００１３】
本発明において、前記第１インクはブラックインクであり、前記第２インクは有彩色のインクであることが望ましい。ブラックインクは文字情報やコード情報を印刷する際に用いられるため滲みが生じてしまうと、印刷画像の視認性や読み取り性能が低下する恐れがある。そのため、特にブラックインクについて吐出量を個別に調整できる構成は、印刷画像の印刷品質を向上するにあたって有効な手段となり得る。
【手続補正９】
【補正対象書類名】明細書
【補正対象項目名】００１４
【補正方法】変更
【補正の内容】
【００１４】
次に本発明は、印刷制御装置の制御方法であって、アプリケーションから画像データを取得し、取得した前記画像データから第１インクの吐出量と前記第１インクよりも色材含有量の多い第２インクの吐出量とを算出し、前記第１インクの吐出量を全体補正割合及び特定補正割合に基づいて補正し、前記第２インクの吐出量を前記全体補正割合に基づいて補正し、補正された前記第１インクの吐出量と、補正された前記第２インクの吐出量とに基づき印刷コマンドを生成し、変換された前記印刷コマンドをインクジェットプリンターに出力することを特徴とする。
【手続補正１０】
【補正対象書類名】明細書
【補正対象項目名】００１５
【補正方法】変更
【補正の内容】
【００１５】
本発明によれば、各インクの吐出量を一律に調整しながら、かつ、特定インクの吐出量を調整したときに、特定インクの規定吐出量を全体補正割合と特定補正割合の演算値で補正した値とする。この構成によれば、印刷画像の濃度の調整と、特定のインクの吐出量の調整とがなされる場合に、印刷時に特定インクを吐出させる補正吐出量が容易に決定される。
【手続補正１１】
【補正対象書類名】明細書
【補正対象項目名】００１６
【補正方法】変更
【補正の内容】
【００１６】
また、本発明によれば、他のインクに比べて色材含有量の多いインクの吐出量が、個別に調整される。色材含有量の多いインクは他のインクに比べて耐水性および耐擦性が劣る。したがってこの構成によれば、印刷画像の耐水性及び耐擦性に影響を与えやすいインクの吐出量が調整され、印刷画像の耐水性および耐擦性を向上させることが可能となる。
【手続補正１２】
【補正対象書類名】明細書
【補正対象項目名】００１７
【補正方法】変更
【補正の内容】
【００１７】
更に本発明は、印刷制御装置の制御プログラムであって、アプリケーションから画像データを取得するステップと、取得した前記画像データから第１インクの吐出量と前記第１インクよりも色材含有量の多い第２インクの吐出量とを算出するステップと、前記第１インクの吐出量を全体補正割合及び特定補正割合に基づいて補正するステップと、前記第２インクの吐出量を前記全体補正割合に基づいて補正するステップと、補正された前記第１インクの吐出量と、補正された前記第２インクの吐出量とに基づき印刷コマンドを生成するステップと、変換された前記印刷コマンドをインクジェットプリンターに出力するステップと、を実行させることを特徴とする
【手続補正１３】
【補正対象書類名】明細書
【補正対象項目名】００１８
【補正方法】変更
【補正の内容】
【００１８】
本発明によれば、各インクの吐出量を一律に調整しながら、かつ、特定インクの吐出量を調整したときに、特定インクの規定吐出量を全体補正割合と特定補正割合の演算値で補正した値とする。この構成によれば、印刷画像の濃度の調整と、特定のインクの吐出量の調整とがなされる場合に、印刷時に特定インクを吐出させる補正吐出量が容易に決定される。
【手続補正１４】
【補正対象書類名】明細書
【補正対象項目名】００１９
【補正方法】変更
【補正の内容】
【００１９】
また、本発明によれば、他のインクに比べて色材含有量の多いインクの吐出量が、個別に調整される。色材含有量の多いインクは他のインクに比べて耐水性および耐擦性が劣る。したがってこの構成によれば、印刷画像の耐水性及び耐擦性に影響を与えやすいインクの吐出量が調整され、印刷画像の耐水性および耐擦性を向上させることが可能となる。
【手続補正１５】
【補正対象書類名】明細書
【補正対象項目名】００２８
【補正方法】変更
【補正の内容】
【００２８】
図２は補正割合入力部２５がディスプレイ４に表示するダイアログボックスの説明図である。ダイアログボックス３０は全体補正割合の入力を受け付けるための第１スライダー３１と、特定補正割合の入力を受け付けるための第２スライダー３２を備えている。
【手続補正１６】
【補正対象書類名】明細書
【補正対象項目名】発明の名称
【補正方法】変更
【補正の内容】
【発明の名称】印刷制御装置、印刷制御装置の制御方法および印刷制御装置の制御プログラム